(57)【要約】柔軟時に膝の形状に合わせてカスタム成型され、硬化後に丈夫な膝固定サポートを提供するカスタム成型膝固定製品が開示されている。この製品は防水保護パウチと、保護パウチに収納された複数の副木とを含んでいる。それぞれの副木は長形基体と、基体に含浸または塗布された反応性樹脂とを含んでいる。この反応性樹脂は乾燥時には安定しており、湿気に接すると硬化して丈夫なサポート構造体を提供する。フレキシブルな保護カバーが基体を覆っている。基体と保護カバーは一体的に利用される。膝の形状に巻き付けられた副木には包帯が巻き付けられる。副木保持具が包帯と共同で副木を膝の形状に保持し、膝を所定の回復ポジションに固定する。
2004525665.tif 000002
【特許請求の範囲】
【請求項１】
柔軟時に膝の形状にカスタム成型され、硬化時に丈夫で膝をサポートするカスタムフィットを提供するカスタム成型膝固定製品であって、
（ａ）防水材料で成る保護パウチと、
（ｂ）使用時まで乾燥状態にて該保護パウチ内に収納される複数の長形膝副木であって、それぞれの副木は、
（ｉ）長形基体と、
（ｉｉ）該長形基体に含浸または塗布された反応性樹脂であって、乾燥状態では安定しており、湿気と接触して硬化し、丈夫な構造体を形成する樹脂と、
（ｉｉｉ）該基体を覆うフレキシブルな保護カバーであって、該基体と共に一体構造体を提供し、柔軟時には膝及び周辺部の形状に成型できる保護カバーと、
を含んで成る副木と、
（ｃ）膝と周辺部に巻き付けられ、該膝と周辺部の形状と一致した状態で保持される包帯と、
（ｄ）前記副木と前記包帯とを保持する副木保持具であって、該包帯上で複数の該副木を相互に間隔を開けて保持し、所定の回復ポジションで膝を固定させる副木保持具と、
を含んで構成される膝固定製品。
【請求項２】
副木保持具は包帯と副木との間のマジックテープ（登録商標）を含んでいることを特徴とする請求項１記載の膝固定製品。
【請求項３】
副木保持具は包帯に設けられた複数の垂直ポケットを含んでおり、副木を膝周辺に垂直に保持するものであることを特徴とする請求項２記載の膝固定製品。
【請求項４】
保護パウチは、外側保護層と、中間アルミフォイル層と、内側熱溶着プラスチック層とで成ることを特徴とする請求項１から３のいずれかに記載の膝固定製品。
【請求項５】
基体は複数のニット布または織布であることを特徴とする請求項１から３のいずれかに記載の膝固定製品。
【請求項６】
包帯はフォームシート材を含んでいることを特徴とする請求項１から３のいずれかに記載の膝固定製品。
【請求項７】
フォームシート材は開放セル型または閉鎖セル型ＥＶＡあるいはポリウレタンであることを特徴とする請求項６記載の膝固定製品。
【請求項８】
包帯はフォームシート材の少なくとも片面を覆う布材を含んでいることを特徴とする請求項６記載の膝固定製品。
【請求項９】
保護カバーの布は織布、ニット布または不織布であることを特徴とする請求項８記載の膝固定製品。
【請求項１０】
反応性樹脂はポリイソシアネート、ポリオール、触媒及び安定剤とブレンドであることを特徴とする請求項１から３のいずれかに記載の膝固定製品。
【請求項１１】
包帯は足元から履く筒状であることを特徴とする請求項１から３のいずれかに記載の膝固定製品。
【請求項１２】
包帯は平坦シートと、膝周囲で該シートを保持するための固定具とを含んでいることを特徴とする請求項１から３のいずれかに記載の膝固定製品。
【請求項１３】
固定具は平坦シートに提供されたマジックテープ（登録商標）を含んでいることを特徴とする請求項１２記載の膝固定製品。
【請求項１４】
反応性樹脂の硬化時に包帯と副木との上に巻き付けられ、該包帯と該副木とを膝の形状で保持する長形伸縮帯体をさらに含んでいることを特徴とする請求項１記載の膝固定製品。
【請求項１５】
副木は１インチ幅であることを特徴とする請求項１記載の膝固定製品。
【請求項１６】
包帯と副木とに巻き付けられて該包帯と該副木とを保持する少なくとも１本の保持帯体をさらに含んでいることを特徴とする請求項１記載の膝固定製品。
【請求項１７】
柔軟時に膝の形状にカスタム成型され、硬化時に丈夫で膝をサポートするカスタムフィットを提供するカスタム成型膝固定具であって、
（ａ）複数の長形膝副木であって、それぞれの副木は、
（ｉ）長形基体と、
（ｉｉ）該長形基体に含浸または塗布された反応性樹脂であって、乾燥状態では安定しており、湿気と接触して硬化し、丈夫な構造体を形成する樹脂と、
（ｉｉｉ）該基体を覆うフレキシブルな保護カバーであって、該基体と共に一体構造体を提供し、柔軟時には膝及び周辺部の形状に成型できる保護カバーと、
を含んで成る副木と、
（ｂ）膝と周辺部に巻き付けられ、該膝と周辺部の形状と一致した状態で保持される包帯と、
（ｃ）前記副木と前記包帯とを保持する副木保持具であって、該包帯上で複数の該副木を相互に間隔を開けて保持し、所定の回復ポジションで膝を固定させる副木保持具と、
を含んで構成される膝固定具。
【請求項１８】
副木保持具は包帯と副木との間のマジックテープ（登録商標）を含んでいることを特徴とする請求項１７記載の膝固定具。
【請求項１９】
副木保持具は包帯に設けられた複数の垂直ポケットを含んでおり、副木を膝周辺に垂直に保持するものであることを特徴とする請求項１８記載の膝固定具。
【請求項２０】
基体は複数のニット布または織布であることを特徴とする請求項１７から１９のいずれかに記載の膝固定具。
【請求項２１】
包帯はフォームシート材を含んでいることを特徴とする請求項２０記載の膝固定具。
【請求項２２】
フォームシート材は開放セル型または閉鎖セル型ＥＶＡあるいはポリウレタンであることを特徴とする請求項２１記載の膝固定具。
【請求項２３】
包帯はフォームシート材の少なくとも片面を覆う布材を含んでいることを特徴とする請求項２１記載の膝固定具。
【請求項２４】
保護カバーの布は織布、ニット布または不織布であることを特徴とする請求項２３記載の膝固定具。
【請求項２５】
反応性樹脂はポリイソシアネート、ポリオール、触媒及び安定剤とブレンドであることを特徴とする請求項１７記載の膝固定具。
【請求項２６】
包帯は足元から履く筒状であることを特徴とする請求項１７記載の膝固定具。
【請求項２７】
包帯は平坦シートと、膝周囲で該シートを保持するための固定具とを含んでいることを特徴とする請求項１７記載の膝固定具。
【請求項２８】
治療のために膝を固定する方法であって、
（ａ）複数の長形膝副木を提供するステップであって、それぞれの副木は、
（ｉ）長形基体と、
（ｉｉ）該長形基体に含浸または塗布された反応性樹脂であって、乾燥状態では安定しており、湿気と接触して硬化し、丈夫な構造体を形成する樹脂と、
（ｉｉｉ）該基体を覆うフレキシブルな保護カバーであって、該基体と共に一体構造体を提供し、柔軟時には膝及び周辺部の形状に成型できる保護カバーと、
を含んで成り、さらに、
（ｂ）膝と周辺部に巻き付けられ、該膝と周辺部の形状と一致した状態で保持される包帯を提供するステップと、
（ｃ）前記副木と前記包帯とを保持する副木保持具であって、該包帯上で複数の該副木を相互に間隔を開けて保持し、所定の回復ポジションで膝を固定させる副木保持具を提供するステップと、
（ｄ）前記包帯を膝と膝周辺の形状に一致させて巻き付けるステップと、
（ｅ）前記副木を湿潤させるステップと、
（ｆ）該副木を前記副木保持具を活用して前記包帯に取り付け、膝を回復ポジションで保持するステップと、
（ｇ）前記反応性樹脂が硬化するまで該副木と該包帯とを保持させるステップと、
を含んで成ることを特徴とする方法。
【請求項２９】
包帯を巻き付けるステップは筒状の包帯を足元から履かせるステップを含んでいることを特徴とする請求項２８記載の方法。
【請求項３０】
包帯を巻き付けるステップは平坦シートを固定具で膝周囲に固定させるステップを含んでいることを特徴とする請求項２８記載の方法。
【請求項３１】
平坦シートを固定具で膝周囲に巻き付けるステップはマジックテープ（登録商標）を活用することを特徴とする請求項３０記載の方法。
【請求項３２】
包帯と副木とを保持させるステップは、反応性樹脂が硬化するまで長形伸縮帯体を包帯と副木とに巻き付けておくステップを含んでいることを特徴とする請求項２７記載の方法。
【請求項３３】
副木を包帯に取り付けるステップは、該包帯に設けられた垂直ポケットに該副木をそれぞれ挿入するステップを含んでいることを特徴とする請求項２７記載の方法。
【請求項３４】
副木を包帯に取り付けるステップは、マジックテープ（登録商標）で取り付けるステップを含んでいることを特徴とする請求項２７記載の方法。
【発明の詳細な説明】
【０００１】
【発明の属する技術分野】
発明の技術分野及び背景
本発明はカスタムフィット式膝固定製品、膝固定具及び膝固定方法に関する。
【０００２】
【従来の技術及び発明が解決しようとする課題】
本発明は整形医療分野での応用に供される。一般的に疾患膝はサポート処理されて副木で固定され、治療中の患者を歩行を可能にする。固定が必要とされる膝の怪我は捻挫または断裂した大腿四頭筋と腱及び／又は膝蓋骨腱、軟骨軟化膝蓋障害、捻挫または断裂した靭帯、並びに前後十字靭帯等で発症する。関連症状並びに整形手術後の回復時及び治療時も膝の固定を必要とするであろう。
【０００３】
前述の症状には膝の固定が必要である。固定しないと筋肉、腱、靭帯及び骨表面を痛める危険がある。加えて、膝を捻らないように固定する必要がある。
【０００４】
本発明はポリマー化学を利用して膝支持体の膝及び膝隣接部への迅速容易な成型を可能にする。提供される密接カスタムフィットは従来の副木の場合とは全く異なる。従来の副木は重厚な布製筒体等で固定されていた。
【０００５】
本発明の固定具は膝周辺部の多様なサイズに対応でき、左右いずれの膝にも適用できる。よって、在庫が少なくて済む。この特徴は意匠作成コストと製造コストをも低下させる。さらに本発明の膝固定具は装着の容易性により利用簡便性が高い。本発明のカスタムフィット膝固定具は、入浴、着替え及び装着調整のための取り外しを容易にし、子供自身による装着も問題としない。
【０００６】
従来の膝固定具は多数の副木を利用する。それらは典型的には皮膚に接するように装着される柔軟部材と膝の形状に合わせるべく曲げられて使用される半剛性金属またはプラスチック部材との組み合わせである。この柔軟部材は例えばファイバーパッド、フォームまたは空気嚢であり、クッションの役目ばかりではなく異なるサイズと形状の身体部位に自身の形状を合わせる効果をも提供する。この理由でクッション部分は皮膚との直接的な接触で引き起こされる痛みや不快感を引き起こさないように必要以上の厚みとなる傾向が高い。
【０００７】
一部の従来型膝副木は加熱成型タイプの熱硬化素材で提供される。これら従来製品は熱源を必要とし、オーバーヒートあるいはアンダーヒートの状態となりやすい。加えて、体温が副木の柔軟性を高めることがあり、膝保護の効果が薄められる。
【０００８】
本発明は膝固定具の迅速で容易な利用を可能にし、完全なカスタムフィットを提供する。使用される湿気硬化性樹脂は丈夫な副木を提供し、成型形状を安定的に維持させる。熱源は不要である。水源のみが追加的に必要である。空中の湿気でも比較的短時間で硬化させるであろうが、実際には副木を水で濡らしてから表面の湿気を拭い取り、使用される。
【０００９】
【課題を解決するための手段】
発明の概要
従って、本発明の１目的はカスタムフィット式膝固定具の提供である。
【００１０】
本発明の別目的は膝の折り曲げや捻りを防止すべく膝を固定させるように成型できる膝固定具の提供である。
【００１１】
本発明の別目的は個々の患者に対してカスタムフィット成型できる膝固定具の提供である。
【００１２】
本発明のさらに別目的は左右いずれの膝にも適用できる膝固定具の提供である。
【００１３】
本発明の別目的は湿気を与えることにより硬化して丈夫で軽量な膝副木を提供する膝固定具の提供である。
【００１４】
本発明の別目的は使用時にまで防水パウチ内で保存される膝固定具の提供である。
【００１５】
本発明のさらに別目的は回復時に患部での浮腫の発生を防止し、固定を補強する帯体を利用するカスタムフィット式膝固定具の提供である。
【００１６】
本発明のこれら及び他の目的は以下の好適実施例によって達成される。本発明の膝固定具製品は防水素材で提供される保護収納体と、乾燥状態で収納される複数の長形膝副木とを含んでいる。それぞれの膝副木は長形基体及び長形基体に含浸または塗布された反応性樹脂とを含んでいる。この反応性樹脂は乾燥状態では安定（非反応）しており、湿気が与えられると硬化して頑丈な膝支持体を提供する。フレキシブルな保護カバーは長形基体を包んで提供される。長形基体と保護カバーは一体化されており、膝と膝周辺部の形状に則して成型される。その後に包帯が膝と膝周辺部の形状に合わせて巻き付けられ副木を膝周辺で保持する。副木保持具は縦方向に間隔を開けて提供されており、包帯と共同で複数の副木を包帯上で保持して所定の回復ポジションで膝を固定させる。
【００１７】
本発明の１好適実施例によれば副木保持具は包帯と副木との接触面に提供されたマジックテープ（登録商標）である。
【００１８】
本発明の別好適実施例によれば副木保持具は包帯に提供された複数の縦ポケットであり、副木を膝の周囲に配置して保持する。
【００１９】
本発明の別好適実施例によれば副木収納パウチはアルミフォイル積層体であり、外側破損防止層、中央アルミフォイル層及び内側溶着プラスチック層とで提供されている。
【００２０】
本発明の別好適実施例によれば長形基体はニット布または織布層で提供される。
【００２１】
本発明の別好適実施例によれば包帯はフォーム材で提供される。
【００２２】
好適にはフォーム材は開放セル型または閉鎖セル（独立気泡）型ＥＶＡあるいはポリウレタンである。
【００２３】
本発明の別好適実施例によれば包帯はフォーム材の少なくとも１面を覆う布材を含んでいる。
【００２４】
本発明のさらに別好適実施例によれば保護カバーは織布、ニット布または不織布である。
【００２５】
本発明の別好適実施例によれば反応性樹脂はポリイソシアネート、ポリオール、触媒及び安定剤のブレンドである。
【００２６】
本発明の別好適実施例によれば包帯は脚部に履く筒状で提供される。
【００２７】
本発明の別好適実施例によれば包帯は自身を膝周囲に着脱式に保持させる保持部を有した平坦シートを含んでいる。
【００２８】
本発明の別好適実施例によればその保持部はマジックテープ（登録商標）である。
【００２９】
本発明のさらに別好適実施例によれば膝疾患回復中に伸縮帯体が包帯と副木の上から膝に巻き付けられる。
【００３０】
本発明の別好適実施例によれば副木は約１インチの幅である。
【００３１】
本発明の別好適実施例によれば少なくとも１本の補強具がカスタムフィット成型された包帯と副木とを膝周囲で巻き付けて保持する。
【００３２】
本発明のカスタムフィット成型式膝固定具は膝の形状に則してカスタムフィットされ、硬化後には丈夫な膝サポートを提供する。本発明の膝固定具は複数の膝副木を含んでいる。それぞれの副木は長形基体と、基体に含浸または塗布された反応性樹脂とを含んで成る。この反応性樹脂は乾燥状態では安定しており、湿気に接して硬化する。フレキシブルな保護カバーは基体に被せられる。基体と保護カバーは一体的に膝形状に合わせて成型される。その後に包帯が膝周囲に巻き付けられて副木を保持する。補強具は副木と包帯とを膝周囲にて安定的に保持する。
【００３３】
本発明の膝治療方法は複数の膝副木の提供を含んでいる。副木は長形基体と、基体に含浸または塗布された反応性樹脂とを含んで成る。反応性樹脂は乾燥状態では安定しており、湿気に接して硬化する。フレキシブルな保護カバーが基体に被せられる。基体と保護カバーとは一体的に膝周囲の形状に合わせて成型される。その後に包帯が膝周囲に巻き付けられる。副木保持具は副木と包帯の保持をサポートし、複数の副木を膝周囲で離れた状態に保って膝を固定する。包帯は膝の形状に則した状態で保持される。副木は湿らされ、副木保持具により包帯と接触状態に保たれ、膝を膝回復ポジションに固定する。包帯と副木とは副木が硬化安定するまで固定的に保持される。
【００３４】
本発明の好適実施例によれば包帯を膝の形状に合わせて配置するステップは筒状包帯を膝近辺にまで足元から引き上げるステップを含んでいる。
【００３５】
本発明の別好適実施例によれば包帯を膝周囲に固定するステップは膝周囲に平坦シートを巻き付けてマジクテープで固定するステップを含んでいる。
【００３６】
本発明のさらに別好適実施例によれば、膝の周囲でシートを固定具で固定するステップは、平坦シートに提供されたマジックテープ（登録商標）を使用することである。
【００３７】
本発明の別好適実施例によれば膝固定方法は包帯と副木とを副木が硬化するまで保持するステップを含む。
【００３８】
本発明の別好適実施例によれば副木を包帯と共に膝周囲に巻き付けるステップは副木を包帯に設けられた縦ポケットに挿入するステップを含んでいる。
【００３９】
本発明の別好適実施例によれば副木を包帯と共に膝周囲に巻き付けるステップは包帯をマジックテープ（登録商標）で留めるステップを含んでいる。
【００４０】
【発明の実施の形態】
好適実施例の最良態様
本発明の１好適実施例に従った膝固定製品１０は図１に図示されている。密封された収納パウチ１１は外側破損防止層、中央アルミフォイル層及び内側熱溶着プラスチック層を有したアルミフォイル積層体で提供される。収納パウチ１１は鋏またはナイフで開封でき、図２に示す膝副木１２が取り出される。収納パウチ１１には適当な数の副木１２を収納する。以下で詳細に解説するように、膝固定製品１０は包帯２０を含んでいる。
【００４１】
図３に示すように、副木１２は不織ポリプロピレンのごとき軟質繊維布の保護カバー１３、１４を含んでいる。保護カバー１３、１４は１体の布であっても別個の布であってもよい。
【００４２】
保護カバー１３と１４とで挟まれた長形基体１５は好適には多層（１５Ａから１５Ｇ）で成る積層体である。基体層１５Ａから１５Ｇは出願人が製造するＯＲＴＨＯＧＬＡＳＳブランドで使用されているニット布でも、織布であっても、不織布でもよい。ニットポリプロピレン等であっても基体１５として利用できる。
【００４３】
基体１５の基体層１５Ａから１５Ｇは米国特許４７７０２９９にて解説されているポリイソシアネートのごとく湿気硬化性樹脂が含浸され、あるいは塗布されている。この反応性樹脂は収納パウチ１１内でのごとく乾燥状態にあるときには安定しているが、湿気に曝されると硬化する。その反応性樹脂の典型的な組成は次の通りである。
2004525665.tif 000003
反応性樹脂のパラメータの完全な説明は米国特許４４１１２６２に存在する。
【００４４】
ポリイソシアネートは湿気に曝されない限り粘性で非硬化状態である。よってグラスファイバー層１５Ａから１５Ｇを湿気に曝すまでフレキシブルで成型可能な状態に保つ。硬化時間は与える水分量によってある程度は調整可能である。例えば、滴下による硬化は遅い。樹脂を空中に放置するとさらに遅い。スプレーすると好適な硬化開始を提供する。
【００４５】
副木１２は好適にはＯＲＴＨＯＧＬＡＳＳ商標で販売されている副木のごとき適当な長さであり、例えば１インチから２インチ幅で、１２インチから１４インチ長である。副木１２をロール形態で提供して切断させることもできる。
【００４６】
樹脂塗布あるいは含浸されたグラスファイバー層１５Ａから１５Ｇの片側または両側をフォーム保護パッド（図示せず）でカバーすることもできる。このパッド構造を保護カバー１３と１４の代用としてもよい。フォーム保護パッドの１好適実施例は３／１６インチ、６ポンドＥＶＡ（エチレンビニルアセテート）パッドである。他の好適実施例では１／８インチの外側ＥＶＡパッドと１／４インチの外側ポリエチレン／ポリウレタンとの３／８インチ積層パッドであり、開放セル及び閉鎖セルフォームの組み合わせである。
【００４７】
図５には膝副木１２の反対側が図示されており、マジックテープ（登録商標）であるパッチ１６の形態で複数の副木保持具要素が含まれている。パッチ１６の数は３つ程度が好適である。
【００４８】
図６には包帯２０の１実施例が図示されている。包帯２０はカバー層２２を有した開放セルまたは閉鎖セルＥＶＡフォーム製の平坦シート２１で形成されている。これは好適には副木１２の保護カバーとして使用されるタイプのポリプロピレン布のごとき不織合成クッション布で形成される。カバー層２２は図６と図７に示すような包帯２０の内側にのみ使用することができ、あるいは両側に使用できる。包帯２０は好適には縁部２０Ａと２０Ｂ側に少々テーパ加工されており、一般的に台錐形である膝周辺の形状に適正にフィットされる。図６の包帯２０では副木保持部２５は平坦シート２１の外向面に３列に配置される。これら副木保持部２５はマジックテープ（登録商標）であり、３本の副木１２の保持具であるマジックテープ（登録商標）１６と共同で副木１２を包帯２０の外側で安定固定させる。
【００４９】
包帯２０は好適にはマジックテープ（登録商標）帯体２８とマジックテープ（登録商標）帯体２７との接続を調整することで膝周囲に安定保持される。図示のごとく帯体２８と２７はそれぞれ包帯２０の反対側端部の反対面に取り付けられる。
【００５０】
包帯２０にはさらに膝皿開口部２９が提供され、装着時に膝皿を露出させる。
【００５１】
図８は膝の位置に装着固定されている膝固定具を図示している。３体の副木１２Ａ、１２Ｂ、１２Ｃが膝の外側、背後及び内側に提供され、膝の屈折や捻りが防止される。
【００５２】
図９は包帯２０が硬化時に細長包帯３０のごとき別包帯で保持されている状態を図示する。細長包帯３０は膝疾患回復時にも着用することができる。細長包帯３０の使用は回復の初期の浮腫を減少させる。伸縮性布筒体（図示せず）も包帯２０の保持に使用できる。布筒体は足元から履いて包帯２０のところまで引き上げる。膝回復の後半では包帯２０は従来のベルト３３（図１０）で保持できる。
【００５３】
図１１には別例の包帯４０が図示されている。包帯４０には３体の垂直副木保持具がポケット４１、４２、４３の状態で提供されている。ポケット４１、４２、４３は縫合、超音波溶着、接着剤等で提供される。あるいは、図１２に示すように、包帯５０は、布５１を包帯５０の外側表面に部分接着させ、垂直ポケット部分を非接着状態にすることでも提供できる。マジックテープ（登録商標）５５、５６は包帯５０を膝の周囲に保持させる。膝皿開口部５８はオプションである。
【００５４】
３体の副木１２は濡らされる前あるいは濡らされた後にポケット５２、５３、５４に入れられる。包帯４０、５０は膝周囲に巻き付けられ、硬化時及び望むなら回復初期にその状態に保持される。図１１参照。膝回復の後期は包帯４０、５０はベルト３３で保持される。
【００５５】
図１３は本発明の別例包帯６０を示す。包帯６０は筒状であり、３体のポケット６２、６３、６４が提供されている。膝皿開口部６６はオプションである。副木１２はそれぞれのポケット６２、６３、６４に入っている。筒状体６１の伸縮構造により副木１２は膝形状に保たれる。さらなる形状一致が望まれるなら包帯６０を図９に示すように細長包帯３０で補強する。
【００５６】
副木１２は包帯に取り付ける前あるいは後で濡らされる。
【００５７】
以上、本発明の膝固定具と、その膝固定具を利用した膝固定方法を解説した。当業技術者であれば本発明のスコープ内で以上提供した実施例の変更及び改良は可能であろう。よって、それら実施例は本発明の説明のみに供されるものであり、本発明の制限は意図されていない。
【図面の簡単な説明】
本発明のいくつかの目的は上述した。本発明の他の目的は図面を利用した以下の説明で明確になろう。
【図１】図１は使用時にまで副木を乾燥状態で収納する収納パウチを含んだ本発明の１好適実施例による膝固定製品を図示する。
【図２】図２は本発明の１実施例による副木の斜視図である。
【図３】図３は図２の副木の一部が剥がされた状態の副木の斜視図である。
【図４】図４は膝にカスタムフィットさせる前にホースの水で濡らされる副木を図示する。
【図５】図５は図２の副木の反対側の斜視図である。
【図６】図６は本発明の１実施例による膝固定製品の包帯部分の斜視図である。
【図７】図７は図６の７−７線に沿った包帯の断面図である。
【図８】図８は膝に当接された状態の本発明の１実施例による膝固定具の斜視図である。
【図９】図９は硬化時とリハビリ中の膝固定具の好適な利用状態を図示する。
【図１０】図１０はリハビリ終盤の膝固定具の利用状態を図示する。
【図１１】図１１は縫合ポケットを有した膝固定具の斜視図である。
【図１２】図１２は一体型ポケットを有した膝固定具の斜視図である。
【図１３】図１３は膝に当接された状態の筒状膝固定具の斜視図である。
【国際公開パンフレット】
2004525665.tif 000004
2004525665.tif 000005
2004525665.tif 000006
2004525665.tif 000007
2004525665.tif 000008
2004525665.tif 000009
2004525665.tif 000010
2004525665.tif 000011
2004525665.tif 000012
2004525665.tif 000013
2004525665.tif 000014
2004525665.tif 000015
2004525665.tif 000016
2004525665.tif 000017
2004525665.tif 000018
2004525665.tif 000019
2004525665.tif 000020
2004525665.tif 000021
2004525665.tif 000022
2004525665.tif 000023
2004525665.tif 000024
2004525665.tif 000025
2004525665.tif 000026
2004525665.tif 000027
2004525665.tif 000028
2004525665.tif 000029
2004525665.tif 000030
2004525665.tif 000031
2004525665.tif 000032
2004525665.tif 000033
2004525665.tif 000034
2004525665.tif 000035
2004525665.tif 000036
2004525665.tif 000037
2004525665.tif 000038
2004525665.tif 000039
2004525665.tif 000040
2004525665.tif 000041
2004525665.tif 000042
2004525665.tif 000043
2004525665.tif 000044
【国際公開パンフレット（コレクトバージョン）】
2004525665.tif 000045
2004525665.tif 000046
【国際公開パンフレット（コレクトバージョン）】
2004525665.tif 000047
2004525665.tif 000048
【国際調査報告】
2004525665.tif 000049
2004525665.tif 000050
2004525665.tif 000051